(57)【要約】【課題】簡単な構成により、物品の安定保持、治具の物品粘着面に粘着保持されている物品の剥離に要する力の低下、の両方を両立させることができ、しかも、製造が容易であり、従来に比べてその機能を長期にわたって安定に維持できる、保持用治具、取り外し補助装置、物品搬送設備、物品の取り外し方法の提供。【解決手段】治具ベース基板１２の片面に物品１４が着脱自在に粘着される粘着剤層１３を具備し、粘着剤層１３が、ベース基板１２に形成された貫通孔１２ｃの開口部１２ｄを覆うシート状に形成されている保持用治具１１を提供する。【選択図】図１
2009105226.tif 000002
【特許請求の範囲】
【請求項１】
物品（１４）を保持するための保持用治具であって、
治具ベース基板（１２）と、この治具ベース基板の片面に設けられ、前記物品が着脱自在に粘着される粘着剤層（１３）とを具備し、
前記治具ベース基板の前記粘着剤層が設けられた面である粘着剤設置面（１２ａ）の複数箇所には、前記治具ベース基板に形成された貫通孔（１２ｃ）の開口部（１２ｄ）が開口され、
前記粘着剤層は、前記治具ベース基板の粘着剤設置面に沿って延在し、前記治具ベース基板の前記粘着剤設置面における前記貫通孔の前記開口部を覆うシート状に形成され、
前記治具ベース基板の前記貫通孔が、前記粘着剤層における前記治具ベース基板の前記貫通孔の前記開口部を覆う部分を変形させるための通気路部として機能することを特徴とする保持用治具（１１）。
【請求項２】
前記治具ベース基板に、前記貫通孔の前記粘着剤設置面に開口する開口端部を拡張した座ぐり部（１２ｅ、１２ｅ１、１２ｅ２）が形成されていることを特徴とする請求項１記載の保持用治具。
【請求項３】
物品（１４）を保持するための保持用治具であって、
通気性の多孔質板（２２）を有する治具ベース基板（２４）と、前記多孔質板の片面に設けられ、前記物品が着脱自在に粘着される粘着剤層（１３）とを具備し、
前記多孔質板の前記粘着剤層が設けられた面である粘着剤設置面（２２ａ）の複数箇所には凹所（２２ｃ）が形成され、
前記粘着剤層は、前記多孔質板の前記粘着剤設置面に沿って延在し、前記多孔質板の前記粘着剤設置面における前記凹所の開口部を覆うシート状に形成され、
前記治具ベース基板の前記多孔質板が、前記粘着剤層における前記多孔質板の前記凹所の開口部を覆う部分を変形させるための通気路部として機能することを特徴とする保持用治具（２１）。
【請求項４】
前記多孔質板の外周に、多孔質板の外周の端面（２２ｄ）を気密に封止する端面封止部材（２３）が周設されていることを特徴とする請求項３記載の保持用治具。
【請求項５】
前記粘着剤層が導電性材料によって形成されていることを特徴とする請求項１〜４のいずれかに記載の保持用治具。
【請求項６】
前記治具ベース基板が導電性材料によって形成されていることを特徴とする請求項１〜５のいずれかに記載の保持用治具。
【請求項７】
請求項１〜６のいずれかに記載の保持用治具の粘着剤層に付着させた物品を前記保持用治具から取り外す作業に用いられる取り外し補助装置であって、
前記保持用治具を保持するための治具保持台（３２）と、
この治具保持台に保持された前記保持用治具の前記貫通孔又は前記多孔質板である通気路部に気体を加圧供給して、前記粘着剤層において前記治具ベース基板の前記貫通孔の前記開口部又は前記凹所の前記開口部に対応する部分を凸形状に変形させる気体圧送装置（３３）とを具備することを特徴とする取り外し補助装置（３１）。
【請求項８】
請求項１〜６のいずれかに記載の保持用治具の粘着剤層に付着させた物品を前記保持用治具から取り外す作業に用いられる取り外し補助装置であって、
前記保持用治具を支持するための治具支持台（３４）と、
この治具支持台に支持された前記保持用治具の前記貫通孔又は前記多孔質板である通気路部内の気体を吸引して、前記粘着剤層において前記治具ベース基板の前記貫通孔の前記開口部又は前記凹所の前記開口部に対応する部分を凹形状に変形させる気体吸引装置（３７）とを具備することを特徴とする取り外し補助装置（４１）。
【請求項９】
物品搬送設備であって、
請求項１〜６のいずれかに記載の保持用治具を搬送する搬送ライン（５３）と、この搬送ラインに物品を搬入する物品搬入部（５４）と、この物品搬入部よりも前記搬送ラインの搬送方向下流側に設けられ、前記保持用治具の前記粘着剤層に付着されている物品を前記保持用治具から取り外す取り外し部（５５）とを具備し、
前記取り外し部に、請求項７又は８記載の取り外し補助装置が設けられていることを特徴とする物品搬送設備（５１）。
【請求項１０】
前記物品が回路基板であり、前記物品搬入部と前記取り外し部との間に、前記回路基板上に設けられた電子部品を半田付けするためのリフロー炉（５７）が設けられていることを特徴とする請求項９記載の物品搬送設備。
【請求項１１】
請求項１〜６のいずれかに記載の保持用治具の粘着剤層に付着させた物品を前記保持用治具から取り外す方法であって、
前記保持用治具の前記貫通孔又は前記多孔質板である通気路部に気体を加圧供給して、前記粘着剤層において前記治具ベース基板の前記貫通孔の前記開口部又は前記凹所の前記開口部に対応する部分を凸形状に変形させることで、前記物品と前記粘着剤層との接着面積を縮小した後、前記保持用治具から前記物品を取り外すことを特徴とする物品の取り外し方法。
【請求項１２】
請求項１〜６のいずれかに記載の保持用治具の粘着剤層に付着させた物品を前記保持用治具から取り外す方法であって、
前記保持用治具の前記貫通孔又は前記多孔質板である通気路部に気体を吸引して、前記粘着剤層において前記治具ベース基板の前記貫通孔の前記開口部又は前記凹所の前記開口部に対応する部分を凹形状に変形させることで、前記物品と前記粘着剤層との接着面積を縮小した後、前記保持用治具から前記物品を取り外すことを特徴とする物品の取り外し方法。
【発明の詳細な説明】
【技術分野】
【０００１】
本発明は、物品を付着させる物品粘着面を具備する保持用治具、この保持用治具の物品粘着面に付着させて保持された物品を保持用治具から取り外す作業に用いられる取り外し補助装置、物品搬送設備、保持用治具からの物品の取り外し方法に関し、例えば、プリント配線板といった回路基板、精密機械用部品などの保持に好適な保持用治具、取り外し補助装置、物品搬送設備、物品の取り外し方法に関するものである。
【背景技術】
【０００２】
単品での取り扱い、加工、搬送等が困難な製品の一例として、フレキシブルプリント配線板がある。フレキシブルプリント配線板に電子部品を接続するには、予めフレキシブルプリント配線板の接続端子表面にはんだペーストを印刷し、その表面に部品を仮付けし、次に、はんだリフロー炉を通して加熱し、はんだを溶融する方法が一般的に行われている。フレキシブルプリント配線板は、剛性が低く柔軟であるため、部品実装時には、弱粘着性の粘着面を有する保持用治具に固定して、はんだペースト印刷や部品の仮付けおよびリフローが行われることが多い（例えば特許文献１）。
剛性は十分であっても取り扱いが困難な小さな個片状態のプリント配線板等への、はんだペースト印刷や部品仮付け、リフローを行う場合にも、粘着面を有する保持用治具が使用される。
また、例えば図６に示すように、保持用治具１０１として、該治具１０１の底面を形成する治具基板１０２上に粘着剤層１０３が積層され、これら治具基板１０２及び粘着剤層１０３を貫通する貫通孔１０４を有する構造のものを採用し、粘着剤層１０３上面に付着させた半導体チップ１０５（半導体ウェハのダイシングによって得たチップ）を保持用治具１０１から取り外す際に、治具基板１０２の下方からのエアの吹き付け（剥離用吹き付けエア１０６）、貫通孔１０４へのエア圧送によって、半導体チップ１０５を保持用治具１０１から剥離させる、あるいは剥離しやすくする方法が知られている（例えば特許文献２）。また、同様の手法により、保持用治具の粘着剤層に付着させた回路基板を保持用治具から剥離させる、あるいは剥離しやすくする方法も知られている（例えば特許文献３）。
【特許文献１】特開２００３−３３２７９５号公報
【特許文献２】特開２０００−１９５８７８号公報
【特許文献３】特開２００４−２６０１５３号公報
【発明の開示】
【発明が解決しようとする課題】
【０００３】
上述のように、プリント配線板、フレキシブルプリント配線板、半導体チップ（以下、総称して、回路基板とも言う）などを付着させて保持するための粘着剤層を有する保持用治具にあっては、粘着剤層に、搬送中および部品実装工程において回路基板が動かないように固定（安定保持）できる程度の粘着力が必要である。一方、部品実装後に回路基板を粘着剤層から引き剥がす際には、剥離作業性の点、過大な力によって回路基板を傷めることを回避する点で、粘着力は低い方が好ましい。これら両方の要求をそれぞれ充分に満足することは、粘着力の調整では対応できない。
また、上記の図６記載の技術のように、貫通孔を有する保持用治具を用いる技術は、貫通孔へのエア圧送によって、回路基板を粘着剤層から剥離させたり、剥離を容易にできるものの、軟らかい粘着剤層に治具基板の孔と一致する孔を正確に形成することは非常に難しい。また、繰り返し使用によって粘着剤層の孔が変形しやすいため、孔径が拡大あるいは縮小することがあり、エア圧送による回路基板の剥離の機能を安定に維持できる期間が比較的短いといった問題もある。
さらに、貫通孔へのエア圧送により剥離する方式では、治具から剥離した回路基板の飛びを防止するためのカバーが必要となり、設備コストの上昇を招く。エア圧を回路基板の剥離を容易にする程度に調整したり、治具の多数の貫通孔に対して選択的にエアを導入して治具からの回路基板の剥離を順次進行させていく、といった対策もあるが、治具の粘着剤層に対する回路基板の粘着状態にはばらつきが存在するため、カバーの設置を省略することは現実的には難しい。また、エア圧を回路基板の剥離を容易にする程度に調整する対策では、治具の粘着剤層に対して回路基板が強く粘着されているとエア圧が不足して剥離に手間が掛かるケースが発生し、治具からの回路基板の剥離を順次進行させていく対策では剥離作業の工程数が増大し、作業が複雑になるなど、上記対策では、治具からの回路基板の剥離に要する手間と時間が増大しやすい。
【０００４】
本発明は、上記課題に鑑みてなされたものであり、簡単な構成により、物品の安定保持、治具の物品粘着面に粘着保持されている物品の剥離に要する力の低下、の両方を両立させることができ、しかも、製造が容易であり、従来に比べてその機能を長期にわたって安定に維持できる、保持用治具、取り外し補助装置、物品搬送設備、物品の取り外し方法の提供を目的とする。
【課題を解決するための手段】
【０００５】
上記課題を解決するために、本発明では以下の構成を提供する。
第１の発明は、物品を保持するための保持用治具であって、治具ベース基板と、この治具ベース基板の片面に設けられ、前記物品が着脱自在に粘着される粘着剤層とを具備し、前記治具ベース基板の前記粘着剤層が設けられた面である粘着剤設置面の複数箇所には、前記治具ベース基板に形成された貫通孔の開口部が開口され、前記粘着剤層は、前記治具ベース基板の粘着剤設置面に沿って延在し、前記治具ベース基板の前記粘着剤設置面における前記貫通孔の前記開口部を覆うシート状に形成され、前記治具ベース基板の前記貫通孔が、前記粘着剤層における前記治具ベース基板の前記貫通孔の前記開口部を覆う部分を変形させるための通気路部として機能することを特徴とする保持用治具を提供する。
第２の発明は、前記治具ベース基板に、前記貫通孔の前記粘着剤設置面に開口する開口端部を拡張した座ぐり部が形成されていることを特徴とする第１の発明の保持用治具を提供する。
第３の発明は、物品を保持するための保持用治具であって、通気性の多孔質板を有する治具ベース基板と、前記多孔質板の片面に設けられ、前記物品が着脱自在に粘着される粘着剤層とを具備し、前記多孔質板の前記粘着剤層が設けられた面である粘着剤設置面の複数箇所には凹所が形成され、前記粘着剤層は、前記多孔質板の前記粘着剤設置面に沿って延在し、前記多孔質板の前記粘着剤設置面における前記凹所の開口部を覆うシート状に形成され、前記治具ベース基板の前記多孔質板が、前記粘着剤層における前記多孔質板の前記凹所の開口部を覆う部分を変形させるための通気路部として機能することを特徴とする保持用治具を提供する。
第４の発明は、前記多孔質板の外周に、多孔質板の外周の端面を気密に封止する端面封止部材が周設されていることを特徴とする第３の発明の保持用治具を提供する。
第５の発明は、前記粘着剤層が導電性材料によって形成されていることを特徴とする第１〜４のいずれかの発明の保持用治具を提供する。
第６の発明は、前記治具ベース基板が導電性材料によって形成されていることを特徴とする第１〜５のいずれかの発明の保持用治具を提供する。
第７の発明は、第１〜６のいずれかの発明の保持用治具の粘着剤層に付着させた物品を前記保持用治具から取り外す作業に用いられる取り外し補助装置であって、前記保持用治具を保持するための治具保持台と、この治具保持台に保持された前記保持用治具の前記貫通孔又は前記多孔質板である通気路部に気体を加圧供給して、前記粘着剤層において前記治具ベース基板の前記貫通孔の前記開口部又は前記凹所の前記開口部に対応する部分を凸形状に変形させる気体圧送装置とを具備することを特徴とする取り外し補助装置を提供する。
第８の発明は、第１〜６のいずれかに記載の保持用治具の粘着剤層に付着させた物品を前記保持用治具から取り外す作業に用いられる取り外し補助装置であって、前記保持用治具を支持するための治具支持台と、この治具支持台に支持された前記保持用治具の前記貫通孔又は前記多孔質板である通気路部内の気体を吸引して、前記粘着剤層において前記治具ベース基板の前記貫通孔の前記開口部又は前記凹所の前記開口部に対応する部分を凹形状に変形させる気体吸引装置とを具備することを特徴とする取り外し補助装置を提供する。
第９の発明は、物品搬送設備であって、第１〜６のいずれかに記載の保持用治具を搬送する搬送ラインと、この搬送ラインに物品を搬入する物品搬入部と、この物品搬入部よりも前記搬送ラインの搬送方向下流側に設けられ、前記保持用治具の前記粘着剤層に付着されている物品を前記保持用治具から取り外す取り外し部とを具備し、前記取り外し部に、第７又は第８の発明の取り外し補助装置が設けられていることを特徴とする物品搬送設備を提供する。
第１０の発明は、前記物品が回路基板であり、前記物品搬入部と前記取り外し部との間に、前記回路基板上に設けられた電子部品を半田付けするためのリフロー炉が設けられていることを特徴とする第９の発明の物品搬送設備を提供する。
第１１の発明は、第１〜６のいずれかの発明の保持用治具の粘着剤層に付着させた物品を前記保持用治具から取り外す方法であって、前記保持用治具の前記貫通孔又は前記多孔質板である通気路部に気体を加圧供給して、前記粘着剤層において前記治具ベース基板の前記貫通孔の前記開口部又は前記凹所の前記開口部に対応する部分を凸形状に変形させることで、前記物品と前記粘着剤層との接着面積を縮小した後、前記保持用治具から前記物品を取り外すことを特徴とする物品の取り外し方法を提供する。
第１２の発明は、第１〜６のいずれかに記載の保持用治具の粘着剤層に付着させた物品を前記保持用治具から取り外す方法であって、前記保持用治具の前記貫通孔又は前記多孔質板である通気路部に気体を吸引して、前記粘着剤層において前記治具ベース基板の前記貫通孔の前記開口部又は前記凹所の前記開口部に対応する部分を凹形状に変形させることで、前記物品と前記粘着剤層との接着面積を縮小した後、前記保持用治具から前記物品を取り外すことを特徴とする物品の取り外し方法を提供する。
【発明の効果】
【０００６】
本発明によれば、治具ベース基板の通気路部（貫通孔あるいは通気性の多孔質板）への気体の加圧供給によって、粘着剤層において、貫通孔あるいは多孔質部の凹所の治具ベース基板の粘着剤設置面に開口する開口部を覆って塞ぐ部分（以下、開口閉塞部とも言う）を、治具ベース基板とは反対の側（詳細には、貫通孔あるいは多孔質部の凹所とは反対の側）に膨出する凸形状に変形させること、あるいは、通気路部からの気体の吸引によって粘着剤層の開口閉塞部を貫通孔あるいは多孔質部の凹所に引き込むようにして凹形状に変形させること、によって粘着剤層に付着されている物品と粘着剤層との接着面積を縮小して、治具からの物品の剥離に要する力を低下させることができる。このため、構成が簡単でありながら、物品の安定保持、治具の粘着剤層に粘着保持されている物品の治具からの剥離に要する力の低下、の両方を両立させることができる。
しかも、従来のように粘着剤層に貫通孔を形成する必要が無く、製造が容易であり、従来に比べてその機能を安定に維持できる期間の長期化（耐久性の向上）も容易に実現できる。
【発明を実施するための最良の形態】
【０００７】
以下、本発明を実施した保持用治具、取り外し補助装置、物品搬送設備、物品の取り外し方法について、図面を参照して説明する。
【０００８】
本発明に係る保持用治具は、治具ベース基板の片面に粘着剤層が被着されている概略構造であり、粘着剤層に、該粘着剤層の粘着力によって、例えば回路基板等の物品を着脱自在に粘着保持できる。この保持用治具は、物品のの一時保持、搬送等に用いられる。
【０００９】
図１は、本発明に係る保持用治具の一例（保持用治具１１）の構成を説明する図であって、（ａ）は保持用治具１１の構造を示す断面図（但し、治具ベース基板１２の片面（粘着剤設置面１２ａ）に設けられた粘着剤層１３の非接着部１３ｃ（後述）を変形させておらず、粘着剤層１３全体が治具ベース基板１２の粘着剤設置面１２ａに沿って延在する状態。以下、初期状態とも言う）、（ｂ）は粘着剤層１３の非接着部１３ｃを凸形状に変形させた状態、（ｃ）は粘着剤層１３の非接着部１３ｃを凹形状に変形させた状態を示す断面図である。
なお、図１（ａ）、（ｂ）、（ｃ）において、上側を上、下側を下として説明する。
【００１０】
図中、符号１４は、保持用治具１１の粘着剤層１３に付着される物品（以下、被着物とも言う）であり、ここでは具体的には回路基板である。物品１４は、詳細には、粘着剤層１３の治具ベース基板１２とは反対側の面（物品粘着面１３ａ）に、粘着剤層１３の粘着力によって付着（粘着）される。
ここで、回路基板とは、例えば、プリント配線板（フレキシブルプリント配線板を含む）、ウェハからダイシングされた半導体チップを含むものとする。
【００１１】
図１（ａ）に示すように、保持用治具１１は、治具ベース基板１２（以下、ベース基板と略称する場合がある）と、このベース基板１２の片面の粘着剤設置面１２ａに積層された粘着剤層１３とを具備した概略構成となっている。
なお、図１（ａ）等では、ベース基板１２の片面全体に粘着剤層１３が積層された構成を例示しているが、本発明においては、ベース基板１２の片面に、粘着剤層１３が設けられていない部分が存在する構成も採用可能である。
【００１２】
図示例のベース基板１２は平板状に形成されている。
このベース基板１２の形成材料としては、例えば、ステンレス、アルミニウム、アルミニウム合金、マグネシウム合金などの金属類およびガラスエポキシ積層材等が使用できる。ベース基板の厚さは０．２ｍｍ〜５ｍｍ程度である。後述のように、例えば回路基板への電子部品の実装のためのリフロー等、保持用治具１１を高温で使用する場合の変形を少なくすること、取り扱い時の変形防止の点で、好ましい厚さは０．３ｍｍ〜２ｍｍである。
【００１３】
このベース基板１２には、貫通孔１２ｃが複数形成されている。前記貫通孔１２ｃは、ベース基板１２の両面（粘着剤設置面１２ａ，底面１２ｂ）に開口するように形成されており、ベース基板１２の粘着剤設置面１２ａの複数箇所には、前記貫通孔の開口部１２ｄが存在する。
【００１４】
ベース基板１２に開ける貫通孔１２ｃの断面形状は丸（円形）、矩形、多角形、楕円形から選定される。貫通孔１２ｃの大きさは、断面円形の貫通孔１２ｃの場合、直径が０．１ｍｍ〜２ｍｍ程度である。貫通孔１２ｃの形成ピッチは０．２ｍｍ〜５ｍｍである。
【００１５】
粘着剤層１３としては、物品１４を着脱自在に粘着保持できる物品粘着面１３ａ（弱粘着面）を形成できる周知のもので良く、その形成材料として、例えば、シリコーン樹脂、フッ素系のゴム状樹脂、天然ゴム、アクリルゴム等を使用できる。後述のように、例えば回路基板への電子部品の実装のためのリフロー等、保持用治具１１を高温で使用する場合に対応するには、耐熱性と繰り返し加熱による劣化が少ない点から、シリコーン樹脂あるいはフッ素系のゴム状樹脂を採用することが好ましい。
【００１６】
本発明において好適な粘着剤層１３の厚さは０．０１ｍｍ〜１ｍｍである。好ましくは０．０５ｍｍ〜０．２ｍｍである。
また、粘着剤層１３の硬度は１０〜１００（測定法：ＪＩＳ  Ｋ６２５３）である。
粘着剤層１３の粘着力（物品粘着面１３ａでの測定値。ベース基板に接する側の面でも同じ）は、０．０１〜０．１０Ｎ／２５ｍｍ（測定法：ＪＩＳ  Ｚ  ０２３７）であることが好ましい。
【００１７】
前記粘着剤層１３は、例えば、液状の樹脂材料のベース基板１２への塗工、粘着剤層を形成する樹脂材料をシート状に成形してなる粘着剤シートのベース基板１２への貼り合わせ、等によって、ベース基板１２に積層状態に設けることができる。前記粘着剤シートは、例えば、粘着剤層を形成する樹脂材料の離型フィルムに塗布してシート状に成形した後、離型フィルムから分離すること等によって得ることができる。
ベース基板１２に積層状態に設けられた前記粘着剤層１３は、前記ベース基板１２の粘着剤設置面１２ａに沿って延在し、前記ベース基板１２の前記粘着剤設置面１２ａにおける前記貫通孔１２ｃの開口部１２ｄを覆うシート状になっている。
【００１８】
シート状の粘着剤層１３は、ベース基板１２の粘着剤設置面１２ａに対面する部分（貫通孔１２ｃの開口部１２ｄを避けた部分）の全体がベース基板１２に接着されている。粘着剤層１３において、ベース基板１２に接着された部分を、以下、接着部１３ｂとも言う。粘着剤層１３の、ベース基板１２の前記粘着剤設置面１２ａにおける前記貫通孔１２ｃの開口部１２ｄを覆う部分（開口閉塞部）は、ベース基板１２に接着されていない非接着部１３ｃとなっている。
つまり、粘着剤層１３には、ベース基板１２の粘着剤設置面１２ａに接着された接着部１３ｂと、前記ベース基板１２に接着されていない部分である複数の非接着部１３ｂとが存在する。
【００１９】
この保持用治具１１は、物品１４を、粘着剤層１３の物品粘着面１３ａに軽く押し付けて付着（粘着）させることで、粘着剤層１３の粘着力によって接着状態に保持することができる。また、粘着剤層１３に付着させた物品１４は、粘着剤層１３の粘着力よりも強い力で強制的に引き剥がすことで、保持用治具１１から取り外すことができる。
つまり、この保持用治具１１は、粘着剤層１３の粘着力によって、物品１４を着脱自在に保持できる。
【００２０】
この保持用治具１１については、粘着剤層１３に付着させた物品１４を粘着剤層１３から剥離させて取り外す手法（物品の取り外し方法）として、以下の（Ａ）、（Ｂ）の手法を採用できる。
（Ａ）まず、図１（ｂ）に示すように、ベース基板１２の底面１２ｂ側から前記貫通孔１２ｃに気体（例えば空気）を加圧供給（貫通孔１２ｃを加圧）して、前記粘着剤層１３の非接着部１３ｃを凸形状に変形させることで、前記物品１４と前記粘着剤層１３との接着面積を縮小した後、前記保持用治具１１から前記物品１４を取り去る。
図１（ｂ）に示すように「粘着剤層１３の非接着部１３ｃを凸形状に変形」させることは、粘着剤層１３の複数の非接着部１３ｃを局所的に、粘着剤層１３における治具ベース基板１２とは反対の側（図１（ａ）、（ｂ）の上側）へ膨出させるように変形させることを指す。貫通孔１２ｃに加圧供給する気体の供給圧は、粘着剤層１３の接着部１３ａの治具ベース基板１２に対する接着状態を維持でき、かつ、粘着剤層１３の非接着部１３ｂを凸形状に変形できる値に調整する。
（Ｂ）まず、図１（ｃ）に示すように、ベース基板１２の底面１２ｂ側から前記貫通孔１２ｃ内の空気を吸引して貫通孔１２ｃ内を減圧し、前記粘着剤層１３の非接着部１３ｃを凹形状に変形させることで、前記物品１４と前記粘着剤層１３との接着面積を縮小した後、前記保持用治具１１から前記物品１４を取り去る。
図１（ｃ）に示すように「粘着剤層１３の非接着部１３ｃを凹形状に変形」させることは、粘着剤層１３の複数の非接着部１３ｃを、貫通孔１２ｃ内に引き込むように変形させることを指す。
【００２１】
上述のように、粘着剤層１３の非接着部１３ｃを凸形状あるいは凹形状に変形させることで、前記物品１４と前記粘着剤層１３との接着面積を縮小すれば、粘着剤層１３からの物品１４の剥離に要する力が小さくて済むこととなり、粘着剤層１３からの物品１４の剥離、保持用治具１１からの物品１４の取り外しを、小さい力で楽に簡単に行える。
【００２２】
既述のように、シリコーン樹脂、フッ素系のゴム状樹脂、天然ゴム、アクリルゴムのいずれかによって形成される粘着剤層１３は、ゴムのように伸びる性質をもつために、ベース基板１２の貫通孔１２ｃへの気体の加圧供給（例えばエア圧送）、貫通孔１２ｃからのエア吸引によって、非接着部１３ｃを凸形状あるいは凹形状に変形させることができる。
また、非接触部１３ｃを凸形状に変形させるために貫通孔１２に供給する空気等の気体の供給圧あるいは凹形状に変形させるためのエア吸引圧を解除すると、伸縮可能な膜の如く機能する粘着剤層１３の非接着部１３ｃが自身の弾性によって元の形状に復元することで、粘着剤層１３は、図１（ａ）に示す初期状態、つまり、粘着剤層１３の非接着部１３ｃを含む全体が、治具ベース基板１２の粘着剤設置面１２ａに沿って延在する状態に戻る。
貫通孔１２ｃは、粘着剤層１３の非接触部１３ｃを変形させるための通気路部として機能する。
【００２３】
なお、図示例の治具ベース基板１２は、平坦な粘着剤設置面１２ａを有する板状部材（底面１２ｂは平坦である必要は無い）であり、粘着剤層１３は、初期状態で、ベース基板１２の粘着剤設置面１２ａに沿う平坦な物品粘着面１３ａを形成する。
【００２４】
この保持用治具１１にあっては、粘着剤層１３の非接着部１３ｃが伸縮可能な膜の如く機能することで、粘着剤層１３の非接着部１３ｃを凸形状あるいは凹形状に変形させた易剥離状態と、初期状態とを切り換える動作を繰り返し行える。
特に、シリコーン樹脂、フッ素系のゴム状樹脂の場合は、粘着剤層１３の厚み（膜厚）が薄くても充分な伸縮性とともに高い切り裂き強度の確保が容易であるため、高い耐久性を確保できる。
【００２５】
図２（ａ）、（ｂ）は、前記治具ベース基板１２に、前記貫通孔１２ｃの前記粘着剤設置面１２ａに開口する開口端部を拡張した座ぐり部１２ｅを形成した例を示す。
図２（ａ）は、貫通孔１２ｃの開口端部に、貫通孔１２ｃの軸線に沿って断面形状一定の座ぐり部１２ｅ（図中符号１２ｅ１）を形成した例、図２（ｂ）は粘着剤設置面１２ａからの距離の増大にしたがって断面積が縮小していくテーパ穴状の座ぐり部１２ｅ（図中符号１２ｅ２）を形成した例である。
【００２６】
図２（ａ）、（ｂ）のように、前記貫通孔１２ｃの前記粘着剤設置面１２ａに開口する開口端部を拡張した座ぐり部１２ｅを形成した構成であれば、貫通孔１２ｃの開口端部以外の部分を断面積が小さい細孔とすることができるので、ベース基板１２の一部又は全体に多数の貫通孔１２ｃを高密度に形成する場合でもベース基板１２の強度に与える影響を小さくできる、といった利点がある。
また、ベース基板１２の粘着剤設置面１２ａにおける貫通孔１２ｃの開口面積を大きく確保できるため、図１（ｃ）のように、粘着剤層１３の非接着部１３ｃを凹形状に変形させて物品１４と前記粘着剤層１３との接着面積を縮小する際の接着面積の減少量を増大させることができる。このため、粘着剤層１３からの物品１４の剥離に要する力の軽減に有利である。
【００２７】
上述のように、粘着剤層１３の非接着部１３ｃを凸形状あるいは凹形状に変形させることで、前記物品１４と前記粘着剤層１３との接着面積を縮小すれば、粘着剤層１３からの物品１４の剥離に要する力が小さくて済むこととなり、粘着剤層１３からの物品１４の剥離、保持用治具１１からの物品１４の取り外しを、小さい力で楽に簡単に行える。
【００２８】
（ベース基板に多孔質板を採用した例）
図３（ａ）〜（ｃ）は、通気性の多孔質板２２を具備する構成の治具ベース基板２４（以下、ベース基板、とも言う）を採用した保持用治具２１を示す。
図３（ａ）は保持用治具２１の構造を示す断面図（但し、多孔質板２２の片面（粘着剤設置面２２ａ）に設けられた粘着剤層１３の非接着部１３ｃ（後述）を変形させておらず、粘着剤層１３全体が多孔質板２２の粘着剤設置面２２ａに沿って延在する状態。以下、初期状態とも言う）、（ｂ）は粘着剤層１３の非接着部１３ｃを凸形状に変形させて、粘着剤層１３と該粘着剤層１３に付着させた物品１４との接着面積を、図３（ａ）の状態に比べて縮小せしめた状態、（ｃ）は粘着剤層１３の非接着部１３ｃを凹形状に変形させて、粘着剤層１３と該粘着剤層１３に付着させた物品１４との接着面積を、図３（ａ）の状態に比べて縮小せしめた状態を示す断面図である。
なお、図３（ａ）、（ｂ）、（ｃ）において、上側を上、下側を下として説明する。
また、図中、図３（ａ）〜（ｃ）と共通の構成部分には同一の符号を付し、説明を簡略化あるいは省略する場合がある。
【００２９】
図３（ａ）等に示すように、図示例の保持用治具２１は、多孔質板２２の外周に気密性の端面封止部材２３が周設されてなるベース基板２４（外枠付きベース基板）と、このベース基板２４の多孔質板２２の片面である粘着剤設置面２２ａを覆うように積層された粘着剤層１３とを具備した概略構成となっている。
【００３０】
ベース基板２４は、例えば四角板状、円形板状等の板状部材であり、端面封止部材２３によって、多孔質板２２の外周全周の端面２２ｄが気密に封止されている。
端面封止部材２３としては、気密性を確保できる構成のものであり、例えば、ステンレス、アルミニウム、アルミニウム合金、マグネシウム合金などの金属製部材、エポキシ樹脂等の熱硬化性樹脂からなる成形品、エポキシ樹脂等の熱硬化性樹脂を多孔質板２２の外周にモールド成形したもの等を採用できる。また、気密性の樹脂フィルム基材に粘着剤層が設けられてなる粘着テープ（端面封止部材）の貼付、多孔質板２２の端面２２ｄへの液状樹脂材料の塗布、硬化によって気密性の樹脂層（端面封止部材）を形成すること等によっても、多孔質板２２の端面２２ｄの気密封止を実現できる。
【００３１】
粘着剤層１３は、多孔質板２２の片面（粘着剤設置面２２ａ）全体を覆うとともに、外周部の全周が、多孔質板２２の外周の端面封止部材２３に到達されて端面封止部材２３に接着して固定されている。粘着剤層１３の外周部と端面封止部材２３との間は気密に封止されている。
【００３２】
多孔質板２２としては、例えば、ステンレス、アルミニウム、アルミニウム合金、マグネシウム合金などの金属類の粉体焼結品、エポキシ樹脂等の熱硬化性樹脂からなる樹脂粒を用いた成形品、熱硬化性樹脂の発泡体等を採用できる。
多孔質板２２の厚さは、０．２ｍｍ〜５ｍｍ、より好ましくは０．３ｍｍ〜２ｍｍである。
【００３３】
前記多孔質板２２の粘着剤設置面２２ａの複数箇所には凹所２２ｃが形成されている。
この凹所２２ｃの平面視形状（粘着剤設置面２２ａ上から見た形状）は、丸（円形）、矩形、多角形、楕円形から選定される。凹所２２ｃの大きさは、断面円形の凹所２２ｃの場合、直径が０．１ｍｍ〜２ｍｍ程度である。凹所２２ｃの形成ピッチは０．２ｍｍ〜５ｍｍである。
【００３４】
前記粘着剤層１３は、例えば、液状の樹脂材料の多孔質板２２への塗工、シート状（フィルム状を含む）に成形した粘着剤シートの多孔質板２２への貼り合わせ、等によって、多孔質板２２に積層状態に設けることができる。
前記粘着剤層１３は、前記多孔質板２２の粘着剤設置面２２ａに沿って延在し、前記多孔質板２２の前記粘着剤設置面２２ａにおける前記凹所２２ｃの開口部を覆うシート状に形成されている。
【００３５】
この粘着剤層１３は、前記多孔質板２２の前記粘着剤設置面２２ａに積層された部分に、前記多孔質板２２の凹所２２ｃを避けて前記粘着剤設置面２２ａに接着された部分である接着部１３ｄと、前記多孔質板２２の前記粘着剤設置面２２ａにおける前記凹所２２ｃの開口部を覆う部分（開口閉塞部）であり前記多孔質板２２に接着されていない複数の非接着部１３ｅとを具備する。
【００３６】
なお、図示例の多孔質板２２の粘着剤設置面２２ａは、多孔質板２２の片面において、凹所２２ｃの形成部分以外が平坦になっている。
このため、粘着剤層１３は、非接着部１３ｅを凸形状又は凹形状に変形（図３（ｂ）、（ｃ）参照）するための気体の加圧供給、エア吸引を行っていない初期状態（図３（ａ）参照）においては、平坦な物品粘着面１３ａを形成する。
【００３７】
この保持用治具１１については、粘着剤層１３に付着させた物品１４を粘着剤層１３から剥離させて取り外す手法（物品の取り外し方法）として、以下の（Ｃ）、（Ｄ）の手法を採用できる。
（Ｃ）まず、図３（ｂ）に示すように、多孔質板２２の底面２２ｂ（粘着剤設置面２２ａとは反対側の面）側から多孔質板２２に気体を圧送（例えば空気の加圧供給）し、粘着剤層１３の非接着部１３ｅを凸形状に変形させることで、前記物品１４と前記粘着剤層１３との接着面積を縮小した後、前記保持用治具２１から前記物品１４を取り去る。
図３（ｂ）に示すように「粘着剤層１３の非接着部１３ｅを凸形状に変形」させることは、粘着剤層１３の複数の非接着部１３ｅを、粘着剤層１３における多孔質板２２とは反対の側（図３（ａ）、（ｂ）、（ｃ）の上側）へ膨出させるように変形させることを指す。多孔質板２２に加圧供給する気体の供給圧は、粘着剤層１３の接着部１３ｄの多孔質板２２に対する接着状態を維持でき、かつ、粘着剤層１３の非接着部１３ｅを凸形状に変形できる値に調整する。
（Ｄ）まず、図３（ｃ）に示すように、多孔質板２２の底面２２ｂ側から多孔質板２２内の空気を吸引して多孔質板２２内を減圧し、前記粘着剤層１３の非接着部１３ｅを凹形状に変形させることで、前記物品１４と前記粘着剤層１３との接着面積を縮小した後、前記保持用治具２１から前記物品１４を取り去る。
図３（ｃ）に示すように「粘着剤層１３の非接着部１３ｅを凹形状に変形」させることは、粘着剤層１３の複数の非接着部１３ｅを、凹所２２ｃ内に引き込むように変形させることを指す。
【００３８】
上述のように、粘着剤層１３の非接着部１３ｅを凸形状あるいは凹形状に変形させることで、前記物品１４と前記粘着剤層１３との接着面積を縮小すれば、粘着剤層１３からの物品１４の剥離に要する力が小さくて済むこととなり、粘着剤層１３からの物品１４の剥離、保持用治具２１からの物品１４の取り外しを、小さい力で楽に簡単に行える。
【００３９】
また、この保持用治具２１の多孔質板２２の凹所２２ｃは、多孔質板２２の粘着剤設置面２２ａ側に形成される凹みであり、多孔質板２２を貫通する貫通孔では無いため、凹所２２ｃの粘着剤設置面２２ａにおける開口面積を大きくしても、多孔質板２２、ベース基板２４の強度に与える影響が小さい。
このため、この保持用治具２１では、多孔質板２２内の空気の吸引によって粘着剤層１３の非接着部１３ｅを凹形状に変形させた場合に、物品１４と前記粘着剤層１３との接着面積を出来るだけ小さくすることに鑑みて、粘着剤設置面２２ａにおける開口面積が大きい凹所２２ｃを形成することを容易に実現できる。
粘着剤層１３の非接着部１３ｅの大きさは、多孔質板２２の粘着剤設置面２２ａ側に形成する凹所２２ｃのサイズ（詳細には開口面積）に対応するため、粘着剤設置面２２ａにおける開口面積が大きい凹所２２ｃを形成した場合は、粘着剤層１３の非接着部１３ｅの大きさも大きくなる。
【００４０】
非接触部１３ｅを凸形状に変形させるための気体の供給圧あるいは凹形状に変形させるためのエア吸引圧を解除すると、伸縮可能な膜の如く機能する粘着剤層１３の非接着部１３ｅが自身の弾性によって元の形状に復元することで、粘着剤層１３は、図３（ａ）に示す初期状態、つまり、粘着剤層１３の多孔質板２２に積層された部分の全体（非接着部１３ｅを含む）が、多孔質板２２の粘着剤設置面２２ａに沿って延在する状態に戻る。図示例の多孔質板２２は平坦な粘着剤設置面２２ａを有しているため、初期状態にあっては、粘着剤層１３の多孔質板２２に積層された部分の全体が粘着剤設置面２２ａに沿って延在して、平坦な物品粘着面１３ａを形成する状態となる。
この保持用治具２１では、ベース基板２４の端面封止部材２２ｂの内側の多孔質板２２ａ全体が、粘着剤層１３の非接触部１３ｅを変形させるための通気路部として機能する。
【００４１】
上述のように、本発明に係る保持用治具１１、２１にあっては、治具ベース基板１２、２４の通気路部（貫通孔１２ｃあるいは通気性の多孔質板２２）への気体の加圧供給によって、粘着剤層の、治具ベース基板１２、２４の粘着剤設置面１２ａ、２２ａにおける貫通孔１２ｃあるいは多孔質部２２の凹所２２ｃの開口する開口部を覆って塞ぐ部分（粘着剤層において治具ベース基板に接着されていない部分。非接着部１３ｃ、１３ｅ）を、治具ベース基板１２、２４とは反対の側（詳細には、貫通孔１２ｃあるいは多孔質部の凹所２２ｃとは反対の側）に膨出する凸形状に変形させること、あるいは、通気路部からの気体の吸引によって粘着剤層１３の非接着部１３ｃ、１３ｅを貫通孔１２ｃあるいは多孔質部２２の凹所２２ｃに引き込むようにして凹形状に変形させること、によって粘着剤層１３に付着されている物品１４と粘着剤層１３との接着面積を縮小して、治具からの物品の剥離に要する力を低下させた状態（易剥離状態）とすることができ、粘着剤層１３からの物品１４の剥離、保持用治具２１からの物品１４の取り外しを、小さい力で楽に簡単に行える。
【００４２】
したがって、本発明に係る保持用治具１１、２１によれば、構成が簡単でありながら、物品１４の安定保持、粘着剤層１３に粘着保持されている物品１４の治具からの剥離に要する力の低下、の両方を両立させることができる。つまり、粘着剤層１３を初期状態とすることで、粘着剤層１３の粘着力による物品１４の粘着、保持を確実に行え、粘着剤層１３に粘着保持されている物品１４の治具からの剥離時には、粘着剤層１３の非接着部１３ｃ、１３ｅを凸形状又は凹形状にすることで、粘着剤層１３に付着されている物品１４と粘着剤層１３との接着面積を縮小して、治具からの物品の剥離に要する力を低下させることができるため、粘着剤層１３からの物品１４の剥離、保持用治具２１からの物品１４の取り外しを、小さい力で楽に簡単に行える。
【００４３】
また、本発明に係る保持用治具１１、２１は、構造が単純であり、低コストで製造することができる。
本発明に係る保持用治具１１、２１は、従来のように、粘着剤層に付着されている物品に剥離用のエア圧を供給するための貫通孔を粘着剤層に貫設する構成と異なり、粘着剤層に貫通孔等を形成しない。つまり、粘着剤層に孔開け等の加工を行う必要が無いため、従来技術に比べて、製造が容易である。また、従来技術のように、剥離用のエア圧による物品の飛びを防止するためのカバーの設置も不要である。
しかも、従来の粘着剤層に貫通孔を形成する場合のように、粘着剤層の孔が変形してしまうといった不都合が生じない上、むしろ、粘着剤層１３の柔軟性、伸縮性を利用して、粘着剤層１３の非接着部１３ｃを凸形状あるいは凹形状に変形させた易剥離状態と、初期状態とを切り換える構成であるので、従来に比べてその機能を安定に維持できる期間の長期化（耐久性の向上）も容易に実現できる。
耐久性向上の点では、粘着剤層１３として、厚さ寸法の大きいものを採用することが有利である。
【００４４】
さらに、本発明に係る保持用治具１１、２１では、粘着剤層１３に付着されている物品１４には、粘着剤層１３の非接着部１３ｃを凸形状あるいは凹形状に変形させるための通気路部の加圧又は減圧の圧力が粘着剤層１３を介して作用するようになっており、粘着剤層１３を介さずに直接物品１４に作用することは無い。粘着剤層１３自体が、通気路部の加圧又は減圧の圧力が物品１４に直接作用することを防止する緩衝層として機能するため、通気路部の加圧又は減圧の圧力によって物品１４を傷めるといった不都合を生じにくいといった利点もある。
【００４５】
また、前記保持用治具１１、２１では、シート状の粘着剤層１３は粘着剤層１３自身の粘着性によってベース基板１２、２４に着脱自在に粘着されている。粘着剤層１３は、ベース基板１２、２４から強制的に引き剥がすことでベース基板１２、２４から取り外すことが可能であり、これにより、粘着剤層１３を交換することができる。
粘着剤層１３の交換によって、ベース基板１２、２４を長期にわたって繰り返し使用できるため、ランニングコストの低コスト化を実現できる。
【００４６】
本発明に係る保持用治具１１、２１は、前記粘着剤層１３及び治具ベース基板１２、２４（ベース基板２４については、特に多孔質板２２）の一方又は両方が、導電性材料によって形成されていることが好ましい。
これにより、物品１４に帯電する静電気の除去、治具自体に帯電する静電気の除去を容易に実現できる。
導電性の粘着剤層１３としては、例えば、粘着剤層１３を形成する樹脂材料中に鉄等の導電性金属粉を混入したもの等を採用できる。
【００４７】
（取り外し補助装置）
図４（ａ）、（ｂ）は、本発明に係る保持用治具の粘着剤層に付着させた物品を前記保持用治具から取り外す作業に用いられる取り外し補助装置の一例を説明する図である。
図４（ａ）、（ｂ）において、上側を上、下側を下として説明する。
【００４８】
図４（ａ）に示す取り外し補助装置３１は、保持用治具１１、２１を保持するための治具保持台３２と、この治具保持台３２に保持された前記保持用治具１１、２１の通気路部（貫通孔１２ｃ、多孔質板２２）に気体を加圧供給して、前記保持用治具１１、２１の粘着剤層１３の非接着部１３ｃ、１３ｅを凸形状に変形させる気体圧送装置３３（ポンプ）とを具備する。
【００４９】
治具保持台３２は、保持用治具１１、２１を載置するための治具載置台３４（以下、単に、載置台とも言う）と、気体圧送装置３３から加圧供給される気体の供給圧に対して、保持用治具１１、２１の載置台３４からの浮き上がりを防止するための保持部３５とを具備する。
載置台３４には通気窓３４ａが開口され、この載置台３４の下側に、前記気体圧送装置３３から延びるダクト３６が、前記通気窓３４ａを覆うように接続されている。そして、この取り外し補助装置３１では、気体圧送装置３３から加圧供給される気体の供給圧を、通気窓３４ａを介して、治具保持台３２に保持された保持用治具の通気路部（貫通孔１２ｃ、多孔質板２２）から粘着剤層１３の非接着部１３ｃ、１３ｅに作用させることができる。
【００５０】
保持用治具１１、２１は、ベース基板１２、２４の底面１２ｂ、２２ｂの外周部を、載置台３４において通気窓３４ａの外周に沿って存在する部分（開口縁部）に当接させて載置台３４上に載置される。保持用治具１１、２１は、ベース基板１２、２４の底面１２ｂ、２２ｂの外周部よりも内側の部分を載置台３４の通気窓３４ａに臨ませて配置される。
【００５１】
図示例の取り外し補助装置３１において、治具保持台３２の前記保持部３５は、載置台３４に取り付けられた可動ロック片３５ａである。
この可動ロック片３５ａは、載置台３４に枢着されており、回転動作によって、保持用治具１１、２１の外周部にその上方から当接されて治具の載置台３４からの浮き上がりを規制する浮き上がり規制位置（符号３５ａ１の仮想線で示す可動ロック片３５ａの位置）と、載置台３４上での保持用治具１１、２１の昇降に干渉しない待避位置（符号３５ａ２の実線で示す可動ロック片３２ｃの位置）とを切り換えることができる。また、取り外し補助装置３１には、浮き上がり規制位置３５ａ１にある可動ロック片３５ａの待避位置３５ａ２側への移動の規制と、移動の許可とを切り換えるロック機構（図示略）が設けられている。載置台３４に対する保持用治具１１、２１のセット、撤去等の作業は、可動ロック片３５ａを待避位置３５ａ２に配置した状態で行う。
【００５２】
また、保持部３５としては、例えば、載置台３４に設けられて、保持用治具１１、２１を磁気吸着する磁石３５ｂ等も採用可能である。
この場合、保持用治具１１、２１は、例えば、ベース基板１４、２４として磁気吸着可能な金属製のものを採用した構成であることが好ましい。また、ベース基板１４、２４として、磁気吸着可能な金属板を埋め込んだ構成のものを採用すること等も可能である。
磁石３５ｂとしては、永久磁石でも良いが、電磁石を採用して、通電のＯＮ・ＯＦＦによって保持用治具１１、２１の載置台３４への吸着固定と固定解除とを切り換えることも可能である。
この取り外し補助装置３１では、可動ロック片３５ａ及び磁石３５ｂの一方あるいは両方を保持部３５として採用することができる。
【００５３】
この取り外し補助装置３１によれば、保持部３５によって、保持用治具の載置台３４からの浮き上がりを規制した状態で、気体圧送装置３３から気体を加圧供給することで、保持用治具１１、２１の粘着剤層１３の非接着部１３ｃ、１３ｅを凸形状に変形させることができる。粘着剤層１３の非接着部１３ｃ、１３ｅを凸形状に変形させることで、治具の粘着剤層１３に粘着保持されている物品１４の治具からの取り外しを軽い力で楽に行うことができる。
なお、気体圧送装置３３が加圧供給する気体の供給圧は、粘着剤層１３の接着部１３ｂ、１３ｄの治具ベース基板１２、２４に対する接着状態を維持でき、かつ、粘着剤層１３の非接着部１３ｃ、１３ｅを凸形状に変形できる範囲に調整することは言うまでも無い。
【００５４】
図４（ｂ）に示す取り外し補助装置４１は、図４（ａ）に例示した取り外し補助装置３１の気体圧送装置３３にかえて、載置台３４上に載置された保持用治具１１、２１の通気路部内の空気を吸引して減圧するための気体吸引装置３７（ポンプ）を採用した構成になっている。
この取り外し補助装置４１では、載置台３４上に載置された保持用治具１１、２１の通気路部内の空気を、気体吸引装置３７によって、載置台３４の通気窓３４ａ及びダクト３６を介して吸引して減圧することで、前記粘着剤層１３の非接着部１３ｃ、１３ｅを凹形状に変形させることができる。粘着剤層１３の非接着部１３ｃ、１３ｅを凹形状に変形させることで、治具の粘着剤層１３に粘着保持されている物品１４の治具からの取り外しを軽い力で楽に行うことができる。
【００５５】
なお、図４（ｂ）に示す取り外し補助装置４１にあっては、図４（ａ）に例示した取り外し補助装置３１のような、気体圧送装置３３からの気体の加圧供給による載置台３４からの治具の浮き上がりの問題が生じないため、例えば、載置台３４が治具載置用の水平な載置面を形成する構成の場合は、治具の載置台３４からの浮き上がりを防止するための保持部３５を省略することが可能である。この場合、治具載置用の載置台３４は、治具の安定載置を実現できる構成であれば良い。載置台３４は、気体吸引装置３７の吸引力に抗して、保持用治具を所望位置に安定支持するための治具支持台として機能する。
本発明に係る取り外し補助装置４１に設けられる治具支持台としては、気体吸引装置３７の吸引力に抗して、保持用治具を所望位置に安定支持できるものであれば良く、上述の載置台に限定されず、例えば、複数本のバーによって保持用治具を支持する構造のもの等、様々な構成のものを採用できる。
【００５６】
（物品搬送設備）
図５は、本発明に係る物品搬送設備の一例を示す。
図５に例示する物品搬送設備５１は、回路基板（物品。以下、回路基板に符号１４を付して説明する場合がある）に電子部品を実装するための実装ラインであり、本発明に係る保持用治具５２（ここでは、具体的には、既述の保持用治具１１あるいは保持用治具２１）を搬送するための搬送ライン５３と、この搬送ライン５３に回路基板１４を保持用治具５２の粘着剤層１３に粘着保持させた状態で搬入（回路基板１４を粘着剤層１３に粘着保持した保持用治具５２を搬入）する物品搬入部５４と、この物品搬入部５４よりも前記搬送ライン５３の搬送方向下流側に設けられ、前記保持用治具５２の前記粘着剤層１３に付着されている回路基板１４を前記保持用治具５２から取り外す取り外し部５５と、前記物品搬入部５４と前記取り外し部５５との間に設けられ、前記保持用治具５２上の回路基板１４に電子部品を仮付けする電子部品仮付け部５６と、この電子部品仮付け部５６と取り外し部５５との間に設けられたリフロー炉５７とを具備する。
【００５７】
搬送ライン５３は、例えばベルトコンベア等によって構成される。
この物品搬送設備５１では、搬送ライン５３によって、回路基板１４を粘着保持した保持用治具５２を、物品搬入部５４から取り外し部５５に向かって搬送していき、電子部品仮付け部５６にて回路基板１４への電子部品の仮付けした後、リフロー炉５７にて、前記電子部品の回路基板１４への半田付けを行う。そして、取り外し部５５にて、電子部品の半田付けが完了した回路基板１４を、保持用治具５２から取り外す。
取り外し部５５には、本発明に係る取り外し補助装置５８（ここでは、図４（ａ）を参照して説明した取り外し補助装置３１、又は、図４（ｂ）を参照して説明した取り外し補助装置４１）が設けられている。取り外し部５５では、搬送ライン５３から取り外し補助装置５８に保持用治具５２を移設して、治具５２から回路基板１４を取り外す作業を行う。取り外し作業に取り外し補助装置５８を利用することで、作業を効率良く行うことができる。
【００５８】
治具ベース基板に通気性の多孔質板２２を用いている保持用治具２１の場合は、リフロー炉５７にて回路基板１４への電子部品の半田付けを行う際に、多孔質板２２全体、治具２１全体の温度分布の均等化を図りやすいといった利点もある。このため、例えばリフロー炉の小型化等に有利である。
【００５９】
なお、本発明は、上述の実施形態に限定されず、適宜変更が可能である。
（１）本発明に係る保持用治具について、治具ベース基板に多孔質板を用いるものとしては、治具ベース基板全体が多孔質板である構成、例えば、図３（ａ）〜（ｃ）に例示した保持用治具２１において端面封止部材２３を省略した構成のものも採用可能である。
治具ベース基板全体が多孔質板である構成の場合は、粘着剤層の非接着部を凸形状に変形させる気体の加圧供給、前記非接着部を凹形状に変形させるエア吸引の際に、多孔質板の外周の端面を気密に封止するためのシール板の圧接等を行うことで、非接着部の変形を効率良く行える。取り外し補助装置にあっては、例えば、多孔質板を嵌め込む嵌合枠内面に前記シール板を周設してなるシール板付き嵌合枠を設けた構成、多孔質板の外周の端面に対して前記シール板を接離させるシール板駆動圧接機構を設けた構成等が採用される。
（２）本発明に係る保持用治具に粘着保持する物品としては、回路基板に限定されず、例えば、精密機械用部品、各種容器など、様々なものを採用できる。
本発明に係る物品搬送設備としては、保持用治具を搬送する搬送ラインと、この搬送ラインに物品を搬入する物品搬入部と、取り外し補助装置が設けられた取り外し部とを具備するものであれば良く、回路基板を搬送するものに限定されない。また、物品搬入部と取り外し部との間に、例えば、物品の切削加工等の機械加工を行う加工装置、めっき、塗装等の表面処理装置、容器内部を洗浄するための洗浄装置といった各種装置（物品処理装置）が設置されていても良い。図５に例示した物品搬送設備の、電子部品仮付け部５６、リフロー炉５７は、この物品処理装置を兼ねる。
【図面の簡単な説明】
【００６０】
【図１】本発明に係る保持用治具の一例を示す図であって、（ａ）は保持用治具の構造を示す断面図、（ｂ）は粘着剤層の一部（非接着部）を凸形状に変形させた状態を示す断面図、（ｃ）は粘着剤層の一部（非接着部）を凹形状に変形させた状態を示す断面図である。
【図２】（ａ）、（ｂ）は、図１の保持用治具の治具ベース基板の貫通孔の別態様を示す図である。
【図３】本発明に係る保持用治具の一例として、多孔質板を有する治具ベース基板を採用した保持用治具を示す図であって、（ａ）は保持用治具の構造を示す断面図、（ｂ）は粘着剤層の一部（非接着部）を凸形状に変形させた状態を示す断面図、（ｃ）は粘着剤層の一部（非接着部）を凹形状に変形させた状態を示す断面図である。
【図４】（ａ）、（ｂ）は、本発明に係る取り外し補助装置の例を示す図である。
【図５】本発明に係る物品搬送設備の一例を示す平面図である。
【図６】従来例の保持用治具を示す断面図である。
【符号の説明】
【００６１】
１１…保持用治具、１２…治具ベース基板、１２ａ…粘着剤設置面、１２ｃ…貫通孔、１２ｄ…開口部、１２ｅ、１２ｅ１、１２ｅ２…座ぐり部、１３…粘着剤層、１４…物品、回路基板、２１…保持用治具、２２…多孔質板、２２ａ…粘着剤設置面、２２ｃ…凹所、２３…端面封止部材、２４…治具ベース基板、３１、４１…取り外し補助装置、３２…治具保持台、３４…治具載置台、３７…気体吸引装置、５１…物品搬送設備、５２…保持用治具、５３…搬送ライン、５４…物品搬入部、５５…取り外し部、５７…リフロー炉。
【図１】
2009105226.tif 000003
【図２】
2009105226.tif 000004
【図３】
2009105226.tif 000005
【図４】
2009105226.tif 000006
【図５】
2009105226.tif 000007
【図６】
2009105226.tif 000008